(57)【要約】      （修正有）【課題】容易に携帯でき、大量生産に有利な点を有するモジュール化ハブを提供する。【解決手段】モジュール化ハブ１０は、モジュール化ハブの外部に位置するアップリンク装置、交流電源及び少なくとも１つのダウンリンク装置と電気的に接続する。アップリンク装置は、接続ポートを含む。接続ポートは、給電モード及び充電モードを支援する。モジュール化ハブは、本体ベース１２及びモジュール構造１３を含む。本体ベースは、ＡＣ接続端、第１電源モジュール及びベース接続端を含む。モジュール構造は、モジュール接続端、第２電源モジュール、アップリンク伝送線、制御回路及び少なくとも１つのダウンリンク接続端を含む。【選択図】図１Ａ
2019087243.tif 000002
【特許請求の範囲】
【請求項１】
外部に位置するアップリンク装置、交流電源、及び少なくとも１つのダウンリンク装置と電気接続することに適用されるモジュール化ハブであって、
前記アップリンク装置は、給電モード及び充電モードを支援する接続ポートを含み、前記モジュール化ハブは、
前記交流電源に電気接続することに適用されるＡＣ接続端と、
前記ＡＣ接続端に電気接続する第１電源モジュールと、
第１データ伝送線及び第１電力伝送線を含み、前記第１データ伝送線及び前記第１電力伝送線が前記第１電源モジュールに接続するベース接続端と、
を含む本体ベースと、
前記ベース接続端に対応し、第２データ伝送線及び第２電力伝送線を含み、且つ前記ベース接続端に接続する時、前記第２データ伝送線が前記第１データ伝送線に電気接続し、前記第２電力伝送線が前記第１伝送線に電気接続するモジュール接続端と、
前記第２データ伝送線及び前記第２電力伝送線に電気接続する第２電源モジュールと、
前記接続ポートに電気接続することに適用され、第３データ伝送線及び第３電力伝送線を含み、且つ前記第３電力伝送線は、前記第２電源モジュールに電気接続するアップリンク伝送線と、
前記第２データ伝送線及び前記第３データ伝送線の間に電気接続する制御回路と、
第４電力伝送線を含み、前記第４電力伝送線は、前記第２電源モジュールに電気接続する少なくとも１つのダウンリンク接続端と、
を含むモジュール構造と、
を含み、
前記制御回路は、前記制御回路、前記第２電源モジュール、及び前記アップリンク装置間の通信によって前記アップリンク装置に給電モード及び充電モードを変換させることができ、
前記モジュール構造は、着脱可能に前記本体ベースに結合できる、モジュール化ハブ。
【請求項２】
前記ＡＣ接続端が前記交流電源に電気接続する時、前記制御回路は、前記アップリンク装置に通知し、前記接続ポートを充電モードに変換させ、
前記ＡＣ接続端が前記交流電源に電気接続する時、前記制御回路は、前記アップリンク装置に通知し、前記接続ポートを給電モードにさせる請求項１に記載のモジュール化ハブ。
【請求項３】
前記モジュール構造は、更に、信号制御器を含み、
前記信号制御器は、前記制御回路及び前記第２電源モジュールに電気接続する請求項１に記載のモジュール化ハブ。
【請求項４】
前記ダウンリンク接続端は、更に、第４データ伝送線を含み、
前記第４データ伝送線は、前記信号制御器に電気接続する請求項３に記載のモジュール化ハブ。
【請求項５】
前記アップリンク伝送線は、更に、第５データ伝送線を含み、
前記第５データ伝送線は、前記信号制御器に電気接続し、且つ前記信号制御器は、前記アップリンク装置及び前記ダウンリンク装置の間で相互データ伝送を行わせることに適用される請求項４に記載のモジュール化ハブ。
【請求項６】
前記アップリンク伝送線は、ＵＳＢタイプＣ伝送線であり、
前記アップリンク装置は、ノート型パソコンである請求項１に記載のモジュール化ハブ。
【請求項７】
前記ダウンリンク接続端は、ＵＳＢ接続端、ＨＤＭＩ（登録商標）接続端又はＲＪ４５接続端であり、
前記ダウンリンク装置は、スマートフォン又は表示スクリーンである請求項１に記載のモジュール化ハブ。
【請求項８】
前記本体ベース及び前記モジュール構造は、磁性吸引方式又はスライドレールを有するスロット方式で組み合わせを行う請求項１に記載のモジュール化ハブ。
【請求項９】
前記本体ベースは、更に、ラッチ構造を含み、
前記モジュール構造は、前記ラッチ構造に対応するＴ型凹溝を含む請求項１に記載のモジュール化ハブ。
【請求項１０】
更に、外部コンポーネントを含み、
前記外部コンポーネントは、嵌合式の組み合わせ方法で前記本体ベース及び前記モジュール構造を結合する請求項１に記載のモジュール化ハブ。
【請求項１１】
前記モジュール構造は、更に、エネルギー貯蔵素子を含み、
前記エネルギー貯蔵素子は、前記第２電源モジュールに電気接続し、
前記ＡＣ接続端が前記交流電源に電気接続する時、前記エネルギー貯蔵素子は、充電モードであり、
前記ＡＣ接続端が前記交流電源に電気接続していない時、前記エネルギー貯蔵素子は、給電モードである請求項１に記載のモジュール化ハブ。
【請求項１２】
前記モジュール構造は、更に、表示スクリーン及びデジタルイメージ処理モジュールを含み、
前記デジタルイメージ処理モジュールは、前記表示スクリーン、前記アップリンク伝送線及び前記ダウンリンク伝送線に電気接続する請求項１１に記載のモジュール化ハブ。
【発明の詳細な説明】
【技術分野】
【０００１】
本発明は、モジュール化ハブに関し、且つ特にアクティブに配電する制御回路を有するモジュール化ハブに関する。
【背景技術】
【０００２】
現在、消費者は、パソコン上のＵＳＢを使用してモバイル装置に対して充電を行う。また、モバイル装置の種類が多くなるに従って、消費者の多くが２種以上のモバイル装置を所有するようになり、例えば、スマートフォン、外付けハードディスク、タブレットＰＣ又はデジタルカメラ等であるが、小さいサイズのノート型パソコンのＵＳＢ接続ポートの数量は消費者にとって使用に不十分であり得る。通常、消費者は、ＵＳＢハブ（ＵＳＢ Ｈｕｂ）を使用してＵＳＢの数量を拡張することができる。しかしながら、従来のＵＳＢハブは、複数組のモバイル装置に同時にデータ伝送を行わせるが、一般の装置のＵＳＢ接続ポートが提供できる電力は有限であり、ＵＳＢ接続ポートが過電流を発生する状況の発生を回避するため、モバイル装置は、標準充電モードが許可されるのみであり、従って、ＵＳＢハブは、急速充電機能を提供することができあに。また、複数のモバイル装置の急速充電モードを満たそうとする場合、ＵＳＢハブは、ハイパワーな電源供給器を必要とし、従って、ＵＳＢハブそのものの寸法及び製造コストも高くなる。ＵＳＢハブの寸法が過度に大きくなる時、消費者は、携帯し難くなる。また、ＵＳＢハブの製造コストが過度に高くなる時、そのＵＳＢハブは、大量生産に不利になる。
【０００３】
従って、容易に携帯でき、多様な選択の柔軟性を有し、大量生産に有利なハブを如何に設計するかは、当業者が検討すべきこととなっている。
【発明の概要】
【発明が解決しようとする課題】
【０００４】
本発明の目的は、上記の問題を解決する為、容易に携帯でき、大量生産に有利な点を有するモジュール化ハブを提供することにある。また、それは、異なる規格、異なる接続ポートのモジュール化機器に結合でき、従って、消費者が使用時に更に多様化された選択、使用上の柔軟性を有することができるようにするものである。
【課題を解決するための手段】
【０００５】
本実施例のモジュール化ハブは、該モジュール化ハブの外部に位置するアップリンク装置、交流電源、及び少なくとも１つのダウンリンク装置と電気接続することに適用され、アップリンク装置は、接続ポートを含み、接続ポートは、給電モード及び充電モードを支援し、モジュール化ハブは、本体ベース及びモジュール構造を含み、本体ベースは、ＡＣ接続端、第１電源モジュール及びベース接続端を含み、モジュール構造は、モジュール接続端、第２電源モジュール、アップリンク伝送線、制御回路及び少なくとも１つのダウンリンク接続端を含む。そのうち、ＡＣ接続端は、該交流電源に電気接続することに適用され、第１電源モジュールは、該ＡＣ接続端に電気接続し、ベース接続端は、第１データ伝送線及び第１電力伝送線を含み、且つ第１データ伝送線及び該第１電力伝送線は、該第１電源モジュールに接続する。また、モジュール接続端は、ベース接続端に対応し、モジュール接続端は、第２データ伝送線及び第２電力伝送線を含み、且つモジュール接続端が該ベース接続端に接続する時、第２データ伝送線は、該第１データ伝送線に電気接続し、第２電力伝送線は、該第１電力伝送線に電気接続する。また、第２電源モジュールは、第２データ伝送線及び第２電力伝送線に電気接続する。アップリンク伝送線は、該接続ポートに電気接続することに適用され、アップリンク伝送線は、第３データ伝送線及び第３電力伝送線を含み、且つ第３電力伝送線は、該第２電源モジュールに電気接続する。また、制御回路は、第２データ伝送線及び第３データ伝送線の間に電気接続され、且つ該制御回路、第２電源モジュール、及び該アップリンク装置の間の通信によって、アップリンク装置を給電モード及び充電モードの間で変換させることができる。ダウンリンク接続端は、第４電力伝送線を含み、第４電力伝送線は、該第２電源モジュールに電気接続する。そのうち、モジュール構造は、着脱可能に該本体ベースに結合する。
【０００６】
上述のモジュール化ハブにおいて、該ＡＣ接続端が該交流電源に電気接続する時、該接続ポートは、充電モードであり、該ＡＣ接続端が該交流電源に電気接続していない時、該接続ポートは、給電モードである。
【０００７】
上述のモジュール化ハブにおいて、該モジュール構造は、更に、信号制御器を含み、該信号制御器は、該制御回路及び該第２電源モジュールに電気接続する。
【０００８】
上述のモジュール化ハブにおいて、該ダウンリンク接続端は、更に、第４データ伝送線を含み、該第４データ伝送線は、該信号制御器に電気接続する。
【０００９】
上述のモジュール化ハブにおいて、アップリンク伝送線は、更に、第５データ伝送線を含み、且つ該第５データ伝送線は、該信号制御器に電気接続し、且つ該信号制御器は、該アップリンク装置及び該ダウンリンク装置の間で相互のデータ伝送を行わせることに適用される。
【００１０】
上述のモジュール化ハブにおいて、アップリンク伝送線は、ＵＳＢタイプＣ伝送線であり、且つ該アップリンク装置は、ノート型パソコンである。
【００１１】
上述のモジュール化ハブにおいて、ダウンリンク接続端は、ＵＳＢ接続端、ＨＤＭＩ（登録商標）接続端又はＲＪ４５接続端であり、且つ該ダウンリンク装置は、スマートフォン又は表示スクリーンである。
【００１２】
上述のモジュール化ハブにおいて、該本体ベース及び該モジュール構造は、磁性吸引方式又はスライドレールを有するスロット方式で結合される。
【００１３】
上述のモジュール化ハブにおいて、本体ベースは、更に、ラッチ構造を含み、且つ該モジュール構造は、更に、該ラッチ構造に対応するＴ型凹溝を含む。
【００１４】
上述のモジュール化ハブは、更に、外部コンポーネントを含み、外部コンポーネントは、嵌合式の組み合わせ方法で該本体ベース及び該モジュール構造を結合する。
【００１５】
上述のモジュール化ハブにおいて、モジュール構造は、更に、エネルギー貯蔵素子を含み、該エネルギー貯蔵素子は、該第２電源モジュールに電気接続し、ＡＣ接続端が該交流電源に電気接続する時、該エネルギー貯蔵素子は、充電モードであり、ＡＣ接続端が該交流電源に電気接続していない時、該エネルギー貯蔵素子は、給電モードである。
【００１６】
上述のモジュール化ハブは、更に、デジタル処理モジュールを含み、デジタル処理モジュールは、該表示スクリーン、該アップリンク伝送線及び該ダウンリンク伝送線に電気接続する。
【発明の効果】
【００１７】
本発明のモジュール化ハブは、容易に携帯でき、大量生産に有利な利点を有する。また、異なる規格、異なる接続ポートのモジュール化機器に結合でき、従って、消費者が使用時に更に多様化された選択、使用上の柔軟性を有することができる。
【図面の簡単な説明】
【００１８】
【図１Ａ】第１実施例のモジュール化ハブ１０がアップリンク装置７、交流電源６及びダウンリンク装置８に電気接続する説明図である。
【図１Ｂ】第１実施例のモジュール化ハブ１０の立体図である。
【図１Ｃ】第１実施例のモジュール化ハブ１０の立体図である。
【図２Ａ】本体ベース１２及びモジュール構造１３が相互に分離した立体図である。
【図２Ｂ】本体ベース１２及びモジュール構造１３が相互に分離した立体図である。
【図３Ａ】第２実施例のモジュール化ハブ２０の立体図である。
【図３Ｂ】外部コンポーネント２４、本体ベース１２及びモジュール構造１３が相互に分離した立体図である。
【図４Ａ】第３実施例のモジュール化ハブ３０の本体ベース３２を示す図である。
【図４Ｂ】モジュール化ハブ３０のモジュール構造３０を示す図である。
【図５】第４実施例のモジュール化ハブ４０がアップリンク装置７、交流電源６及びダウンリンク装置８に電気接続する説明図である。
【図６Ａ】第４実施例のモジュール化ハブ５０がアップリンク装置７、交流電源６及びダウンリンク装置８に電気接続する説明図である。
【図６Ｂ】モジュール化ハブ５０の立体図である。
【発明を実施するための形態】
【００１９】
図１Ａ、図１Ｂ、図１Ｃを参照し、図１Ａが示すのは、第１実施例のモジュール化ハブ１０がアップリンク装置７、交流電源６及びダウンリンク装置８に電気接続する説明図であり、図１Ｂ及び図１Ｃが示すのは、第１実施例のモジュール化ハブ１０の立体図である。モジュール化ハブ１０は、本体ベース１２及びモジュール構造１３を含み、且つモジュール構造１３は、着脱可能に本体ベース１２に結合する（図２Ａ参照）。そのうち、本体ベース１２は、ＡＣ接続端１２１、第１電源モジュール１２２及びベース接続端１２３を含み、モジュール構造１３は、モジュール接続端１３３、第２電源モジュール１３４、アップリンク伝送線１３１、制御回路１３５、少なくとも１つのダウンリンク接続端１３２（本実施例は２つのダウンリンク接続端１３２を範例とする）及び信号制御器１３６を含む。また、ＡＣ接続端１２１は、モジュール化ハブ１０の外部に位置する交流電源６に電気接続することに適用され、第１電源モジュールは、ＡＣ接続端１２１に電気接続し、第１電源モジュール１２２は、例えば、交流／直流変換器（ＡＣ−ＤＣ  Ｃｏｎｖｅｒｔｅｒ）を含み、交流電源６が出力する交流電を直流電に変換する。また、ベース接続端１２３は、第１データ伝送線１２３Ｄ及び第１電力伝送線１２３Ｅを含み、第１データ伝送線１２３Ｄ及び第１電力伝送線１２３Ｅは、第１電源モジュール１２２に結合し、従って、第１電源モジュール１２２も交流電源６が出力する電力をベース接続端１２３に伝導する（図２Ａ参照）。
【００２０】
上述において、モジュール化ハブ１０は、外部のアップリンク装置７及び少なくとも１つのダウンリンク装置８と電気接続することに適用され、アップリンク装置７は、例えば、ノート型パソコンであり、ダウンリンク装置８は、例えば、スマートフォン又は表示スクリーンである。また、アップリンク装置７は、接続ポート７１を含み、接続ポート７１は、例えば、ＵＳＢタイプＣインタフェースであり、接続ポート７１は、給電モード及び充電モードを支援する。言い換えれば、アップリンク装置７（ノート型パソコン）は、給電モード及び充電モードを支援する。
【００２１】
再度、図１Ａを参照し、同時に図２Ａ及び図２Ｂを同時に参照し、図２Ａ及び図２Ｂが示すのは、本体ベース１２及びモジュール構造１３が相互に分離した立体図である。モジュール構造１３のモジュール接続端１３３は、ベース接続端に対応し、モジュール接続端１３３は、第２データ伝送線１３３Ｄ及び第２電力伝送線１３３Ｅを含む。また、該モジュール接続端１３３が該ベース接続端に接続する時、第２データ伝送線１３３Ｄは、第１データ伝送線１２３Ｄに電気接続し、第２電力伝送線１３３Ｅは、第１電力伝送線１２３Ｅに電気接続する。従って、モジュール構造１３は、本体ベース１２により伝えられる電力及び信号を受けることができる。
【００２２】
また、第２電源モジュール１３４は、第２データ伝送線１３３Ｄ及び第２電力伝送線１３３Ｅに電気接続し、アップリンク伝送線１３１は、接続ポート７１に電気接続し、アップリンク伝送線１３１は、第３データ伝送線１３１Ｄ、第３電力伝送線１３１Ｅ及び第５データ伝送線１３１Ｆを含み、且つ第３電力伝送線１３１Ｅは、第２電源モジュール１３４に電気接続する。また、ダウンリンク接続端１３２は、例えば、ＵＳＢ接続端（スマートフォンに対応）、ＨＤＭＩ（登録商標）接続端（表示スクリーンに対応）又はＲＪ４５接続端であり、ダウンリンク接続端１３２は、第４電力伝送線１３２Ｅ及び第４データ伝送線１３２Ｄを含み、第４電力伝送線１３２Ｅは、第２電源モジュール１３４に電気接続し、第４データ伝送線１３２Ｄ及び第５データ伝送線１３１Ｆは、何れも信号制御器１３６に電気接続し、従って、信号制御器１３６は、アップリンク装置７及びダウンリンク装置８の間で相互のデータ伝送を行わせることに適用される。上述において、第３電力伝送線１３１Ｅ及び第４電力伝送線１３２Ｅは、何れも第２電源モジュール１３４に電気接続し、従って、アップリンク装置７が有する電力は、ダウンリンク装置８に伝達されることができる。
【００２３】
また、制御回路１３５は、第２データ伝送線１３３Ｄ及び第３データ伝送線の間１３１Ｄに電気接続され、且つモジュール構造１３の制御回路１３５、第２電源モジュール１３４、及びアップリンク装置７の間の通信によって、アップリンク装置７に給電モード及び充電モードの間で変換を行わせる。詳細には、モジュール構造１３が本体ベース１２に結合された状況で、但し、ＡＣ接続端１２１が交流電源６に電気接続していない時、アップリンク装置７の接続ポート７１は、給電モードであり、制御回路１３５及び信号制御器１３６を動作可能にさせ、制御回路１３５に随時、第２電源モジュール１３４と通信可能にさせ、制御回路１３５は、アップリンク装置７の現在の第２電源モジュール１３４の状態を随時通知できる。これに対して、ＡＣ接続端１２１が交流電源６に電気接続しており、第２電源モジュール１３４が第１電源モジュール１２２の電力を受ける時、制御回路１３５からアップリンク装置７に給電モードを停止するよう通知する。その後、制御回路１３５は、更に、第２電源モジュール１３４に電圧をアップリンク伝送線１３１に出力するように要求し、続いて、アップリンク装置７に接続ポート７１を充電モードに片案出来ることを通知し、最後にアップリンク装置７が必要な出力電圧値を調整する。
【００２４】
また、使用者がモジュール構造１３を本体ベース１２から離脱させた後、第２電源モジュール１３４は、第１電源モジュール１２２との電気接続を失い、この時、制御回路１３５は、第２電源モジュール１３４にアップリンク伝送線１３１に対する給電を切断するよう要求する。制御回路１３５は、アップリンク装置７に通知して接続ポート７１を給電モードに回復し、従って、アップリンク装置７の電力がダウンリンク装置８に供給されることができる。従って、従来のＵＳＢハブに比較し、本実施例のモジュール化ハブ１０のモジュール構造１３は、本体ベース１２と分離後、ダウンリンク装置８（スマートフォン）が依然としてモジュール構造１３及びアップリンク装置７によって充電又はデータ伝送を行うことができ、従って、消費者は、モジュール構造１３を携帯するだけでスマートフォンに対して充電又はデータ伝送を行うことができる。また、モジュール構造１３の体積が更に軽く小さくなるので、本実施例は、モジュール構造１３に対してのみ大量製造を行うこともできる。また、消費者が本体ベース１２を常時携帯しなくともよく、従って、本体ベース１２は、比較的大きな寸法であることもでき、ハイパワーな第１電源モジュール１２２（電源供給器に相当）を許容できる。また、モジュール化ハブ１０の本体ベース１２は、モジュール構造１３を結合することができる以外に、本体ベース１２もその他の異なるモジュール化機器に柔軟に結合でき、従って、消費者が使用時に更に柔軟性を有することができる。
【００２５】
図３Ａ及び図３Ｂを参照し、図３Ａが示すのは、第２実施例のモジュール化ハブ２０の立体図であり、図３Ｂが示すのは、外部コンポーネント２４、本体ベース１２及びモジュール構造１３の相互に分離した立体図である。モジュール化ハブ２０及びモジュール化ハブ１０の差異は、モジュール化ハブ２０が、更に、外部コンポーネント２４を含み、外部コンポーネント２４は、嵌合式の組み合わせ方法によって本体ベース１２及びモジュール構造１３を結合することにある。このように、モジュール構造１３は、本体ベース１２に更に強固に結合でき、且つ外部コンポーネント２４を除去した後、モジュール構造１３は、本体ベース１２と迅速に分離することもできる。
【００２６】
図４Ａ及び図４Ｂを参照し、図４Ａが示すのは、第３実施例のモジュール化ハブ３０の本体ベース３２であり、図４Ｂが示すのは、モジュール化ハブ３０のモジュール構造３３である。モジュール化ハブ３０及びモジュール化ハブ１０の差異は、モジュール化ハブ３０の本体ベース３２が、更に、ラッチ構造３２Ｂを含み、且つモジュール化ハブ３０のモジュール構造３３は、更に、ラッチ構造３２Ｂに対応するＴ型凹溝３３Ｃを含むことにある。このように、モジュール構造３３は、ラッチ構造３２Ｂ及びＴ型凹溝３３Ｃによって更に強固に本体ベース３２に嵌合でき、且つモジュール化ハブ３０の構造強度を更に強化できる。上述において、モジュール化ハブ３０は、ラッチ固定方式を使用して取り付け強度を強化する以外、当業者は、磁性吸引の方式又はスライドレールを有するスロット方式でモジュール構造３３及び本体ベース３２を組み合わせることもでき、同様に、モジュール化ハブ３０の構造強度を強化することができる。
【００２７】
図５を参照し、図５が示すのは、第４実施例のモジュール化ハブ４０がアップリンク装置７、交流電源６及びダウンリンク装置８に電気接続する説明図である。モジュール化ハブ４０及びモジュール化ハブ１０の差異は、モジュール化ハブ４０のモジュール構造４３が、更に、エネルギー貯蔵素子４３７を含み、エネルギー貯蔵素子４３７は、例えば、電池又はコンデンサであり、且つエネルギー貯蔵素子４３７は、第２電源モジュール１３４に電気接続することにある。そのうち、ＡＣ接続端１２１が交流電源６に電気接続する時、エネルギー貯蔵素子４３７は、充電モードである。これに対して、ＡＣ接続端１２１が交流電源６に電気接続する時、エネルギー貯蔵素子４３７は、給電モードである。従って、モジュール化ハブ４０及び取り外したモジュール構造４３は、何れも１つのモバイル電源（Ｐｏｗｅｒ  ｂａｎｋ）として使用を行うことができる。上述において、エネルギー貯蔵素子４３７は、第２電源モジュール１３４外に位置するが、但し、エネルギー貯蔵素子４３７を第２電源モジュール１３４内に設置することもできる。また、モジュール構造４３は、更に、無線充電パッド又はメモリ（図示せず）を含み、従って、モジュール構造４３も無線充電を行うこともでき、又はメモリースティックとして使用することもできる。
【００２８】
図６Ａ及び図６Ｂを参照し、図６Ａが示すのは、第４実施例のモジュール化ハブ５０がアップリンク装置７、交流電源６及びダウンリンク装置８に電気接続する説明図であり、図６Ｂが示すのは、モジュール化ハブ５０の立体図である。モジュール化ハブ５０及びモジュール化ハブ４０の差異は、モジュール化ハブ５０のモジュール構造５３は、更に、表示スクリーン５３０及びデジタルイメージ処理モジュール５３１を含むことにある。表示スクリーン５３０は、モジュール構造５３の表面に設置され、デジタルイメージ処理モジュール５３１は、表示スクリーン５３０、アップリンク伝送線１３１及びダウンリンク伝送線１３２に電気接続する。そのうち、デジタルイメージ処理モジュール５３１は、該イメージデータを伝送することに用いられる。詳細には、アップリンク装置７又はダウンリンク装置８がイメージデータをデジタルイメージ処理モジュール５３１に入力する時、デジタルイメージ処理モジュール５３１は、該イメージデータを表示スクリーン５３０に伝送する。その後、表示スクリーン５３０は、該イメージデータを表示する。上述において、デジタルイメージ処理モジュール５３１は、イメージデータを伝送することを範例とする。しかしながら、当業者は、デジタルイメージ処理モジュール５３１は、該イメージデータを伝送するのみに限らず、それは、異なるタイプのデジタルデータを伝送することができる。
【００２９】
上記を総合し、本実施例のモジュール化ハブは、容易に携帯でき、大量生産に有利な利点を有し、且つ本実施例は、更に、異なるモジュール化機器に結合でき、従って、消費者は、使用時に更に柔軟性を有することができる。
【符号の説明】
【００３０】
１０  モジュール化ハブ
１２  本体ベース
１２１  ＡＣ接続端
１２２  第１電源モジュール
１２３  ベース接続端
１２３Ｄ  第１データ伝送線
１２３Ｅ  第１電力伝送線
１３  モジュール構造
１３１  アップリンク伝送線
１３１Ｄ  第３データ伝送線
１３１Ｅ  第３電力伝送線
１３１Ｆ  第５データ伝送線
１３２  ダウンリンク接続端
１３２Ｄ  第４データ伝送線
１３２Ｅ  第４電力伝送線
１３３  モジュール接続端
１３４  第２電源モジュール
１３５  制御回路
１３６  信号制御器
２０  モジュール化ハブ
２４  外部コンポーネント
３２  本体ベース
３２Ｂ  ラッチ構造
３３Ｃ  Ｔ型凹溝
４３  モジュール構造
４３７  エネルギー貯蔵素子
５０  モジュール化ハブ
５３  モジュール構造
５３０  表示スクリーン
５３１  デジタルイメージ処理モジュール
６  交流電源
７  アップリンク装置
７１  接続ポート
８  ダウンリンク装置
【図１Ａ】
2019087243.tif 000003
【図１Ｂ】
2019087243.tif 000004
【図１Ｃ】
2019087243.tif 000005
【図２Ａ】
2019087243.tif 000006
【図２Ｂ】
2019087243.tif 000007
【図３Ａ】
2019087243.tif 000008
【図３Ｂ】
2019087243.tif 000009
【図４Ａ】
2019087243.tif 000010
【図４Ｂ】
2019087243.tif 000011
【図５】
2019087243.tif 000012
【図６Ａ】
2019087243.tif 000013
【図６Ｂ】
2019087243.tif 000014